(57)【特許請求の範囲】
【請求項１】
２つの端子間に第１の電圧が印加されて動作する第１の電子機器と、前記第１の電圧を供給する第１の電源と、非導通状態と導通状態との２つの状態のうち１つの状態に選択的に切り換える第１のスイッチ手段とを有し、前記第１の電圧が印加される２つの端子のうち低電位が接続される側の端子と前記第１の電源の低電位側とが前記第１のスイッチ手段を介して接続されるとともに、前記第１の電圧が印加される２つの端子のうち高電位が接続される側の端子と前記第１の電源の高電位側とが接続されてなる第１の電子機器装置と、
２つの端子間に第２の電圧が印加されて動作する第２の電子機器と、前記第２の電圧を供給する第２の電源と、非導通状態と導通状態との２つの状態のうち１つの状態に選択的に切り換える第２のスイッチ手段とを有し、前記第２の電圧が印加される２つの端子のうち高電位が接続される側の端子と前記第２の電源の高電位側とが前記第２のスイッチ手段を介して接続されるとともに、前記第２の電圧が印加される２つの端子のうち低電位が接続される側の端子と前記第２の電源の低電位側とが接続されてなる第２の電子機器装置と、を備え、
前記第１の電源の低電位側と前記第２の電源の高電位側とが共通接続されていることを特徴とする電子装置。
【請求項２】
前記第１の電圧と、前記第２の電圧とは、互いに異なる電圧であることを特徴とする請求項１に記載の電子装置。
【請求項３】
共通接続されている前記第１の電源の低電位側と前記第２の電源の高電位側との線路が接地されていることを特徴とする請求項２に記載の電子装置。
【請求項４】
前記第１の電子機器の、前記低電位が接続される側の端子は、前記第１のスイッチ手段が非導通状態においては、前記第１の電源の高電位側の電位にプルアップされ、
前記第２の電子機器の、前記高電位が接続される側の端子は、前記第２のスイッチ手段が非導通状態においては、前記第２の電源の低電位側の電位にプルダウンされていることを特徴とする請求項１から３のうちいずれか１項に記載の電子装置。
【請求項５】
前記第２の電子機器装置が電子時計であることを特徴とする請求項１から４のうちいずれか１項に記載の電子装置。
【請求項６】
前記第１の電子機器装置と前記第２の電子機器装置とのうち少なくとも一方の電子機器装置を複数備え、
全ての前記第１の電子機器装置における第１の電源の低電位側と、全ての前記第２の電子機器装置における第２の電源の高電位側とが、共通接続されていることを特徴とする請求項１から５のうちいずれか１項に記載の電子装置。
【請求項７】
前記第１の電子機器装置のうち少なくとも２つにおける前記第１の電圧は互いに異なる電圧に設定されており、または前記第２の電子機器装置のうち少なくとも２つにおける前記第２の電圧は互いに異なる電圧に設定されていることを特徴とする請求項６に記載の電子装置。
【発明の詳細な説明】
【技術分野】
【０００１】
本発明は電子装置に関し、詳細には、２つの電子機器装置を電気的に接続した電子装置に関する。
【背景技術】
【０００２】
従来より、各別に電源を備えた２つの電子機器装置を電気的に接続して、各電子機器装置が独立して動作する単一の電子装置を構成することが行われている。
【０００３】
このような電子装置では、両電子機器装置の電源の負極（低電位側）同士または正極（高電位側）同士を接続するのが一般的である。
【０００４】
例えば、そのような電子装置として、指針によってアナログ表示を行うアナログ時計（電子機器装置の一例）と、数値によってデジタル表示を行うデジタル時計（電子機器装置の一例）とを、単一の筐体内に組み込んだ、コンビネーション時計が知られている（特許文献１）。
【０００５】
ここで、上記特許文献１に開示された電子装置（コンビネーション時計）において接続される２つの電子機器装置がいずれも時計用のデバイス（アナログ時計の時計ムーブメントや、デジタル時計の電子回路を含む。）であるため、単に、それら２つの電子機器装置の電源の高電位側同士が接続された構成である。
【０００６】
ここで、腕時計の電子時計ムーブメントは、電池の高電位側がケースの裏カバーに接触し、この裏カバーと裏カバーに当接する人体とを介して接地されるため、２つの電子時計ムーブメント同士を接続する場合には、高電位側同士が接続される。
【０００７】
一方、一般的な電子機器装置、例えば車両のドアをロック／アンロックするのに用いられるリモコン装置（キーレスエントリ装置）などは、電池の低電位側が接地されるため、この一般的な電子機器装置同士を接続する場合には、低電位側同士が接続される。
【０００８】
このような仕様の相違は、上述した電子時計ムーブメントと、他の一般的な電子機器装置との間でのみ生じるものではなく、電子機器装置に使用されるＩＣチップなどの仕様に起因して、他の一般的な電子機器装置同士間でも生じ得る。
【０００９】
ところで、上述した高電位側で接地される電子機器装置では、アクティブ電位が高電位側となるため、導通状態と非導通状態とを切り換えるスイッチは、電子機器本体の高電位側に接続される。
【００１０】
一方、低電位側で接地される電子機器装置では、アクティブ電位が低電位側となるため、導通状態と非導通状態とを切り換えるスイッチは、電子機器本体の低電位側に接続される。
【００１１】
そして、２つの電子機器装置のアクティブ電位が、両方とも高電位側であるか、または、両方とも低電位側である場合には、共通接続の接地線に両スイッチが接続されるため、両スイッチは同電位となり、特に問題は生じない。
【特許文献１】特公昭６１−４５１８９号公報（第１図）
【発明の開示】
【発明が解決しようとする課題】
【００１２】
これに対して、アクティブ電位が高電位側である電子機器装置と、アクティブ電位が低電位側である電子機器装置とを接続する場合、すなわち例えば図５に示すように、第２電池３２によって印加される電位差により計時動作を行う機能を有し、高電位側がアクティブ電位である電子時計ムーブメント１３０と、第１電池１４２によって印加される電位差により、図示しない自動車のドア、ロック／アンロックするリモコン動作を行うキーレスエントリ機能を有し、低電位側がアクティブ電位であるキーレスエントリ装置１４０と、を接続部分１５０で接続した電子装置においても、同図に示すように高電位側同士の接続とされるか、または、図示しない低電位側同士の接続とされるが、いずれの場合も、両スイッチ１３４，１４４間（端子１３２ｂと端子１４２ａとの間）には、常に所定の電位差が生じていることになる。
【００１３】
そして、スイッチ１３４，１４４は、操作指示が入力される部分であるから装置の外部に露出しているのが一般的であることに鑑みると、例えば電子装置として電子腕時計１００を適用した図１に示した構成における２つのスイッチ１３４，１４４間には、雨水やその他の水分が掛かったり、あるいは、スイッチ１３４，１４４における互いに電位の異なる露出部分が車両の金属ボディに接触することが十分に考えられる。
【００１４】
そのような水掛かりや金属との接触などが生じた場合には、両スイッチ１３４，１４４間で短絡が発生し、端子１３２ｂと端子１４２ａとが接続されて第２電池１３２の高電位側と第１電池１４２の低電位側とが短絡されると、電子腕時計１００自体が損傷したり、この電子腕時計１００を装着していた人体に影響を与える虞もある。
【００１５】
これを防止する方策として、スイッチのうち外部に露出する部分を、非導電性の部材（プラスティック等）として、その露出した部分同士間で短絡するのを防止することも考えられるが、この方策によると、スイッチのアクティブ電位をとるための構造が複雑になる他、プラスティック等を使用しなければならないなど、選択可能の材料の制約となって、選択自由度の低下を招いたり、また、プラスティック等の材料では、時計の高級感を醸し出すのが困難であり、この観点から、デザイン面での制約となる虞がある。
【００１６】
なお、図５において、電子時計ムーブメント１３０は、それぞれ２つの端子１３３ａ，１３３ｂ間に第２電池１３２の電圧が印加されて動作する電子時計回路１３３と、第２電池１３２と、非導通状態と導通状態との２つの状態のうち１つの状態を選択的に切り換える第２スイッチ１３４とを有し、第２電池１３２の電圧が印加される２つの端子１３３ａ，１３３ｂのうち高電位が接続される側の端子１３３ｂと第２電池１３２の高電位側１３２ｂとが第２スイッチ１３４を介して接続されるとともに、２つの端子１３３ａ，１３３ｂのうち低電位が接続される側の端子１３３ａと第２電池１３２の低電位側１３２ａとが接続されている。
【００１７】
一方、キーレスエントリ装置１４０は、それぞれ２つの端子１４３ａ，１４３ｂ間に第１電池１４２の電圧が印加されて動作するキーレスエントリ回路１４３と、第１電池１４２と、非導通状態と導通状態との２つの状態のうち１つの状態を選択的に切り換える第１スイッチ１４４とを有し、第１電池１４２の電圧が印加される２つの端子１４３ａ，１４３ｂのうち低電位が接続される側の端子１４３ａと第１電池１４２の低電位側１４２ａとが第１スイッチ１４４を介して接続されるとともに、２つの端子１４３ａ，１４３ｂのうち高電位が接続される側の端子１４３ｂと第１電池１４２の高電位側１４２ｂとが接続されている。
【００１８】
そして、この電子腕時計１００は、第１電池１４２の高電位側１４２ｂと第２電池１３２の高電位側１３２ｂとが接続部分１５０で共通接続されており、この共通接続されている第１電池１４２の高電位側１４２ｂと第２電池１３２の高電位側１３２ｂとの線路は接地されている。
【００１９】
上述したスイッチ間のショートの虞の問題は、１つの電子機器装置が電子時計ムーブメントであるものに限るものではなく、低電位側にスイッチが接続される電子機器装置と、高電位側にスイッチが接続される電子機器装置とが接続される構成の電子装置一般について、同様に生じ得る。
【００２０】
本発明は上記事情に鑑みなされたものであり、低電位側にスイッチ手段が接続された第１の電子機器装置と高電位側にスイッチ手段が接続された第２の電子機器装置とが接続され、両電子機器装置のスイッチ間でショートするのを防止することができる電子装置を提供することを目的とする。
【課題を解決するための手段】
【００２１】
本発明に係る電子装置は、低電位側にスイッチ手段が接続された第１の電子機器装置と、高電位側にスイッチ手段が接続された第２の電子機器装置とを、第１の電子機器装置の低電位側と第２の電子機器装置の高電位側とを共通接続して構成することにより、両電子機器装置のスイッチ間で、ショートするのを防止したものである。
【００２２】
すなわち、本発明に係る電子装置は、２つの端子間に第１の電圧が印加されて動作する第１の電子機器と、前記第１の電圧を供給する第１の電源と、非導通状態と導通状態との２つの状態のうち１つの状態に選択的に切り換える第１のスイッチ手段とを有し、前記第１の電圧が印加される２つの端子のうち低電位が接続される側の端子と前記第１の電源の低電位側とが前記第１のスイッチ手段を介して接続されるとともに、前記第１の電圧が印加される２つの端子のうち高電位が接続される側の端子と前記第１の電源の高電位側とが接続されてなる第１の電子機器装置と、
２つの端子間に第２の電圧が印加されて動作する第２の電子機器と、前記第２の電圧を供給する第２の電源と、非導通状態と導通状態との２つの状態のうち１つの状態に選択的に切り換える第２のスイッチ手段とを有し、前記第２の電圧が印加される２つの端子のうち高電位が接続される側の端子と前記第２の電源の高電位側とが前記第２のスイッチ手段を介して接続されるとともに、前記第２の電圧が印加される２つの端子のうち低電位が接続される側の端子と前記第２の電源の低電位側とが接続されてなる第２の電子機器装置と、を備え、
前記第１の電源の低電位側と前記第２の電源の高電位側とが共通接続されていることを特徴とする。
【００２３】
ここで、第１の電子機器における２つの端子間に、第１の電圧を印加したときの動作としては、この第１の電子機器を駆動するための電力を供給する動作（電子機器全体のＯＮ／ＯＦＦ動作）のみに限定されるものではなく、電子機器の動作状態における、動作モードの切替えの動作や、時刻修正動作など、部分的な動作であってもよい。
【００２４】
同様に、第２の電子機器における２つの端子間に、第２の電圧を印加したときの動作としては、この第２の電子機器を駆動するための電力を供給する動作（電子機器全体のＯＮ／ＯＦＦ動作）のみに限定されるものではなく、電子機器の動作状態における、動作モードの切替えの動作や、時刻修正動作など、部分的な動作であってもよい。
【００２５】
このように構成された本発明に係る電子装置によれば、第１の電源の低電位側と第２の電源の高電位側とが共通接続されていることにより、第１のスイッチ手段と第２のスイッチ手段とが、外部の水分や金属、あるいは導電性の塵埃等の介在に起因し、または衝撃等による変形に起因して、電気的に誤接続された場合であっても、両スイッチ手段の電位は本来的に同電位であるため、ショートを起こすことがなく、ショートによって生じる両電子機器装置自体やこの電子装置を身につけている人体等に対する電気的な障害を防止することができる。
【００２６】
また、スイッチ手段として金属材料等導電性材料を引き続き使用することができるため、スイッチ手段の材料について選択幅が小さくなることはなく、スイッチ手段の構造を、使用材料の観点から変更する必要がないため、従来通り、スイッチ手段の構造を簡単に構成することができる。しかも、外観にプラスティック等の非導電性材料を用いた場合に損なわれる時計の高級感も、金属材料を従来通り使用することによって、従来と変わらず醸し出すことができ、デザインやバリエーションの制約を招くことがない。
【００２７】
本発明に係る電子装置においては、前記第１の電圧と前記第２の電圧とを、互いに異なる電圧として選択することもできる。
【００２８】
第１の電子機器は第１の電圧によって動作し、第２の電子機器は第２の電圧によって動作するところ、このように好ましい構成の本発明に係る電子装置によれば、両電子機器として、アクティブ電位が互いに異なるものをも選択することができ、本発明に係る電子装置に組み込まれる２つの電子機器装置の選択の自由度を高めることができる。
【００２９】
本発明に係る電子装置においては、共通接続されている前記第１の電源の低電位側と前記第２の電源の高電位側との線路が接地されていることが好ましい。
【００３０】
第１の電子機器装置については、第１のスイッチ手段が接続されているのが、第１の電子機器の低電位が接続される側の端子であるため、低電位側がアクティブ電位であり、第２の電子機器装置については、第２のスイッチ手段が接続されているのが、第２の電子機器の高電位が接続される側の端子であるため、高電位側がアクティブ電位であるところ、このように好ましい構成の本発明に係る電子装置によれば、共通接続されている第１の電源の低電位側と第２の電源の高電位側との線路が接地されて、両電子機器装置ともにアクティブ電位側が接地されているため、両電子機器装置ともに、ノイズに対する耐性を高めることができる。しかも、構造面からもアースをとりやすい。
【００３１】
本発明に係る電子装置においては、前記第１の電子機器の、前記低電位が接続される側の端子は、前記第１のスイッチ手段が非導通状態においては、前記第１の電源の高電位側の電位にプルアップされ、前記第２の電子機器の、前記高電位が接続される側の端子は、前記第２のスイッチ手段が非導通状態においては、前記第２の電源の低電位側の電位にプルダウンされていることが好ましい。
【００３２】
このように好ましい構成の本発明に係る電子装置によれば、第１の電子機器の、低電位が接続される側の端子が、ノンアクティブのときや、第２の電子機器の、高電位が接続される側の端子が、ノンアクティブのとき、外部から積極的に電位を与える必要がない。
【００３３】
本発明に係る電子装置においては、前記第２の電子機器装置が電子時計であることが好ましい。
【００３４】
電子時計は、電子機器の、高電位が接続される側の端子に、スイッチ手段を介して電源の高電位側に接続されるため、このように好ましい構成の本発明に係る電子装置によれば、第２の電子機器装置として電子時計を適用する構成であるため、上述した本発明の効果を顕著に発揮することができる。
【００３５】
本発明に係る電子装置においては、第１の電子機器装置と第２の電子機器装置とがそれぞれ１つずつであるものに限らず、これら第１の電子機器装置と第２の電子機器装置とのうち少なくとも一方の電子機器装置を複数備えたものであってもよく、このように、第１の電子機器装置と第２の電子機器装置とのうち少なくとも一方の電子機器装置を複数備えた電子装置にあっては、全ての第１の電子機器装置における第１の電源の低電位側と、全ての第２の電子機器装置における第２の電源の高電位側とが、共通接続されているものとすればよい。
【００３６】
このように好ましい構成の本発明に係る電子装置によれば、さらに多くの電子機器装置を、それらのスイッチ手段間の短絡を防止しつつ、単一の電子装置に組み込むことができ、多様な用途（各電子機器装置の機能）に対応した電子装置を提供することができる。
【００３７】
さらに、そのように、第１の電子機器装置を複数備えた構成の本発明の電子装置にあっては、それら複数の第１の電子機器装置のうち少なくとも２つにおける第１の電圧は互いに異なる電圧に設定されていてもよく、また、第２の電子機器装置を複数備えた構成の本発明の電子装置にあっては、それら複数の第２の電子機器装置のうち少なくとも２つにおける第２の電圧は互いに異なる電圧に設定されていてもよい。
【００３８】
このように、複数備えられた第１の電子機器装置における第１の電圧を互いに異なるものとすることによって、または複数備えられた第２の電子機器装置における第２の電圧を互いに異なるものとすることによって、アクティブ電位の異なる複数の電子機器装置を、単一の電子装置に組み込むことができ、多様な機能を有するとともに、互いに異なるアクティブ電位を有する電子機器装置を選択することができ、本発明に係る電子装置に組み込まれる複数の電子機器装置の選択の自由度をさらに高めることができる。
【発明の効果】
【００３９】
本発明に係る電子装置によれば、第１のスイッチ手段と第２のスイッチ手段とが、外部の水分や金属、あるいは導電性の塵埃等の介在に起因し、または衝撃等による変形に起因して、電気的に誤接続された場合であっても、両スイッチ手段の電位は本来的に同電位であるため、ショートを起こすことがなく、ショートによって生じるような、両電子機器装置自体や、この電子装置を身につけている人体等に対する電気的な障害を防止することができる。
【発明を実施するための最良の形態】
【００４０】
以下、本発明に係る電子装置の一実施形態である電子腕時計について、図面を用いて説明する。
【００４１】
図１は本実施形態の電子腕時計１００を示す外観正面図、図２は図１に示した電子腕時計１００のＡ−Ａ線に沿った断面の要部を示す要部断面図、図３は図１に示した電子腕時計１００の電気回路を示す図である。
【００４２】
図示の電子腕時計１００は、図２に示すように、裏カバー１１を含むステンレス等のケース１０の内部に、指針３１によって時刻を表示する電子時計ムーブメント３０（第２の電子機器装置）と、後述するキーレスエントリ装置４０（第１の電子機器装置）とが収められ、図１に示すように正面が風防ガラス２０によって覆われた外観を呈している。
【００４３】
ここで、電子時計ムーブメント３０は、第２電池３２（第２の電源）によって印加される電位差（第２の電圧）により指針３１を駆動して時刻を表示する計時動作機能を有し、キーレスエントリ装置４０は、第１電池４２（第１の電源）によって印加される電位差（第１の電圧）により、図示しない自動車のドア、ロック／アンロックするリモコン動作機能を有する。
【００４４】
また、図３の電気回路に示すように、電子時計ムーブメント３０は、それぞれ２つの端子３３ａ，３３ｂ間に第２電池３２の電圧が印加されて動作する電子時計回路３３（第２の電子機器）と、第２電池３２と、非導通状態と導通状態との２つの状態のうち１つの状態に選択的に切り換える第２スイッチ３４（第２のスイッチ手段）とを有し、第２電池３２の電圧が印加される２つの端子３３ａ，３３ｂのうち高電位が接続される側の端子３３ｂと第２電池３２の高電位側３２ｂとが第２スイッチ３４を介して接続されるとともに、２つの端子３３ａ，３３ｂのうち低電位が接続される側の端子３３ａと第２電池３２の低電位側３２ａとが接続されている。
【００４５】
ここで、図４の断面図（図２相当の断面図）に示す一般的な電子腕時計では、ケース１０の裏カバー１１を外した部位に、第２電池３２に相当する電池３２′が、その高電位側３２ｂ′を露出して配置されている。
【００４６】
この電池３２′は、電子時計ムーブメント３０の保持スプリング３０ａ，３０ａによって、この電子時計ムーブメント３０に挟持されており、露出した高電位側３２ｂ′が、装着された裏カバー１１の背面側に設けられた端子１１ａに接触し、裏カバー１１は人体に接触して使用されるため、電池３２′の高電位側３２ｂ′が、裏カバー１１および人体を介して接地されることになる。
【００４７】
このように、電子腕時計の電子時計ムーブメント３０は、一般的に、電池の高電位側が接地され、電池の低電位側にスイッチが接続されているため、本実施形態の電子腕時計における電子時計回路３３も、高電位が接続される側の端子３３ｂと第２電池３２の高電位側３２ｂとの間に第２スイッチ３４が介在して構成されている。
【００４８】
一方、キーレスエントリ装置４０は、それぞれ２つの端子４３ａ，４３ｂ間に第１電池４２の電圧が印加されて動作するキーレスエントリ回路４３（第１の電子機器）と、第１電池４２と、非導通状態と導通状態との２つの状態のうち１つの状態に選択的に切り換える第１スイッチ４４（第１のスイッチ手段）とを有し、第１電池４２の電圧が印加される２つの端子４３ａ，４３ｂのうち低電位が接続される側の端子４３ａと第１電池４２の低電位側４２ａとが第１スイッチ４４を介して接続されるとともに、２つの端子４３ａ，４３ｂのうち高電位が接続される側の端子４３ｂと第１電池４２の高電位側４２ｂとが接続されている。
【００４９】
なお、本実施形態の電子腕時計におけるキーレスエントリ装置４０に限らず、低電位が接続される側の端子４３ａと第１電池４２の低電位側４２ａとの間に第１スイッチ４４が介在して構成される電子機器装置は、電子機器装置としては一般的な回路構成である。
【００５０】
また、この電子腕時計１００は、第１電池４２の低電位側４２ａと第２電池３２の高電位側３２ｂとが共通接続されており、その共通接続部分５０は、図２に示すように、電子腕時計１００の厚さ方向に積層されたキーレスエントリ装置４０と電子時計ムーブメント３０とに架け渡されている。
【００５１】
さらに、この共通接続されている第１電池４２の低電位側４２ａと第２電池３２の高電位側３２ｂとの線路は接地されている。
【００５２】
このように、本実施形態の電子腕時計１００は、第１電池４２の低電位側４２ａと第２電池３２の高電位側３２ｂとが共通接続されているため、図１に示した電子腕時計１００に水が掛かったり、自動車の金属製のボディに接触する等して、第１スイッチ４４と第２スイッチ３４とが、電気的に誤って導通した場合であっても、両スイッチ３４，４４の電位（第１スイッチ４４の符号４２ａ側の端子と第２スイッチ３４の符号３２ｂ側の端子）はもともと同電位に設定されているため、両スイッチ３４，４４間でショートを起こすことがなく、ショートによって生じる、電子時計ムーブメント３０やキーレスエントリ装置４０そのものの電気的な障害や、この電子腕時計１００を身につけている人体等に対する電気的な障害を、防止することができる。
【００５３】
また、本実施形態の電子腕時計１００は、共通接続されている第１電池４２の低電位側４２ａと第２電池３２の高電位側３２ｂとの線路が接地されており、キーレスエントリ装置４０および電子時計ムーブメント３０はいずれも、アクティブ電位側が接地されていることになるため、キーレスエントリ装置４０に対しても、電子時計ムーブメント３０に対しても、ノイズに対する耐性を高めることができ、しかも、構造面からもアースをとりやすい。
【００５４】
なお、本実施形態の電子腕時計１００は、第２電池３２によって印加される電位差と第１電池４２によって印加される電位差とは、互いに異なるものであってもよい。キーレスエントリ装置４０は第１電池４２の電位差によって動作し、電子時計ムーブメント３０は第２電池３２の電位差によって動作するところ、本実施形態の電子腕時計１００は、このようにアクティブ電位が互いに異なる２つの電子機器装置（電子時計ムーブメント３０、キーレスエントリ装置４０）を接続することができ、この電子腕時計１００に組み込まれる２つの電子機器装置の選択の自由度を高めることができる。
【００５５】
本実施形態に係る電子腕時計１００においては、キーレスエントリ回路４３の、低電位が接続される側の端子４３ａは、第１スイッチ４４が非導通状態においては、第１電池４２の高電位側４２ｂの電位にプルアップされ、電子時計回路３３の、高電位が接続される側の端子３３ｂは、第２スイッチ３４が非導通状態においては、第２電池３２の低電位側３２ａの電位にプルダウンされていることが好ましい。
【００５６】
このように好ましい電子腕時計１００によれば、キーレスエントリ回路４３の、低電位が接続される側の端子４３ａがノンアクティブのときや、電子時計回路３３の、高電位が接続される側の端子３３ｂがノンアクティブのとき、外部から積極的に電位を与える必要がないからである。
【００５７】
また、本実施形態における各電池３２，４２はそれぞれ二次電池であってもよい。
【００５８】
なお、本実施形態においては、本発明に係る電子装置として電子腕時計１００を適用したものであるが、本発明に係る電子装置は、この形態に限定されるものではない。
【００５９】
さらに、上述した実施形態の電子腕時計１００は、キーレスエントリ回路４３の２つの端子４３ａ，４３ｂ間に、第１電池４２によって第１の電圧を印加したときの、キーレスエントリ回路４３の動作としては、このキーレスエントリ回路４３を駆動するための電力を供給する動作（キーレスエントリ回路４３全体のＯＮ／ＯＦＦ動作）のみに限定されるものではなく、このキーレスエントリ回路４３の動作状態における、動作モードの切替えの動作や、時刻修正動作など、部分的な動作であってもよい。
【００６０】
同様に、時計ムーブメント回路３３の２つの端子３３ａ，３３ｂ間に、第２電池３２によって第２の電圧を印加したときの、時計ムーブメント回路３３の動作としては、この時計ムーブメント回路３３を駆動するための電力を供給する動作（時計ムーブメント回路３３全体のＯＮ／ＯＦＦ動作）のみに限定されるものではなく、この時計ムーブメント回路３３の動作状態における、動作モードの切替えの動作や、時刻修正動作など、部分的な動作であってもよい。
【００６１】
なお、本実施形態に係る電子腕時計１００は、高電位側をアクティブ電位とする第２の電子機器装置としての電子時計ムーブメント３０と、低電位側をアクティブ電位とする第１の電子機器装置としてのキーレスエントリ装置４０とが、それぞれ１つずつである構成の電子装置の一例であるが、本発明に係る電子装置は、この形態に限定されるものではなく、低電位側をアクティブ電位とする第１の電子機器装置と、高電位側をアクティブ電位とする第２の電子機器装置とのうち少なくとも一方の電子機器装置を複数備えたものであってもよく、このように、第１の電子機器装置と第２の電子機器装置とのうち少なくとも一方の電子機器装置を複数備えた電子装置にあっては、全ての第１の電子機器装置における第１電池４２の低電位側４２ａと、全ての第２の電子機器装置における第２電池３２の高電位側３２ｂとが、共通接続されているものとすればよい。この場合、それら複数の第１の電子機器装置のうち少なくとも２つにおける第１電池４２の電圧は互いに異なる電圧に設定されていてもよく、また、それら複数の第２の電子機器装置のうち少なくとも２つにおける第２電池３２の電圧は互いに異なる電圧に設定されていてもよい。
【００６２】
このように、複数備えられた第１の電子機器装置における第１電池４２の電圧を互いに異なるものとすることによって、または複数備えられた第２の電子機器装置における第２電池３２の電圧を互いに異なるものとすることによって、アクティブ電位の異なる複数の電子機器装置を、単一の電子装置に組み込むことができ、多様な機能を有するとともに、互いに異なるアクティブ電位を有する電子機器装置を選択することができ、電子装置（本実施形態では電子腕時計）に組み込まれる複数の電子機器装置の選択の自由度をさらに高めることができる。
【図面の簡単な説明】
【００６３】
【図１】本実施形態の電子腕時計を示す外観正面図である。
【図２】図１に示した電子腕時計のＡ−Ａ線に沿った断面の要部を示す要部断面図である。
【図３】図１に示した電子腕時計の電気回路を示す図である。
【図４】一般的な電子腕時計における図２相当の断面図である。
【図５】想定される電子腕時計の電気回路を示す図である。
【符号の説明】
【００６４】
３０    電子時計ムーブメント（第２の電子機器装置）
３２    第２電池（第２の電源）
３２ａ，４２ａ  低電位側
３２ｂ，４２ｂ  高電位側
３３    電子時計回路（第２の電子機器）
３３ａ，３３ｂ，４３ａ，４３ｂ  端子
３４    第２スイッチ（第２のスイッチ手段）
４０    キーレスエントリ装置（第１の電子機器装置）
４２    第１電池（第１の電源）
４３    キーレスエントリ回路（第１の電子機器）
４４    第１スイッチ（第１のスイッチ手段）
１００  電子腕時計（電子装置）
【図１】
0004746396.tif 000002
【図２】
0004746396.tif 000003
【図３】
0004746396.tif 000004
【図４】
0004746396.tif 000005
【図５】
0004746396.tif 000006